(57)【要約】【課題】  可変速再生時に、再生速度が把握できないことによる不便、不快感を防止できる可変速表示装置及びその表示方法を得る。【解決手段】  可変速表示装置１００において、映像源から送られる映像信号を再生する表示手段２３と、映像源とこの表示手段２３の間に設けられ表示手段２３に表示される画像の再生速度を可変させる再生速度変換部２５と、再生速度変換部２５における速度増減量に応じて再生画像サイズを拡縮させる画像サイズ制御部２７と、表示手段２３にマークの表示を可能にする補助情報表示部２９と、再生速度変換部２５における速度増減量に応じてマークの動作速度を可変させるマーク動作制御部３１と、を設けた。【選択図】図１
2006119514.tif 000002
【特許請求の範囲】
【請求項１】
映像源から送られる映像信号を再生する表示手段と、
前記映像源と該表示手段との間に設けられ、該表示手段に表示される画像の再生速度を可変させる再生速度変換部と、
該再生速度変換部における速度増減量に応じて再生画像サイズを拡縮させる画像サイズ制御部と、
を備えたことを特徴とする可変速表示装置。
【請求項２】
前記表示手段にマークの表示を可能にする補助情報表示部を備えたことを特徴とする請求項１に記載の可変速表示装置。
【請求項３】
前記再生速度変換部における速度増減量に応じて前記マークの動作速度を可変させるマーク動作制御部を備えたことを特徴とする請求項２に記載の可変速表示装置。
【請求項４】
映像源から送られる映像信号を再生する表示手段と、前記映像源と該表示手段との間に設けられ、該表示手段に表示される画像の再生速度を可変させる再生速度変換部と、を備えた可変速表示装置の表示方法であって、
前記再生速度変換部における再生速度の増加量に応じて前記再生画像サイズを縮小させることを特徴とする可変速表示装置の表示方法。
【請求項５】
前記再生画像サイズの縮小によって生じた余白に、再生速度が認知可能なマークを表示させることを特徴とする請求項４記載の可変速表示装置の表示方法。
【請求項６】
再生速度に応じた速度で前記マークを動作表示させることを特徴とする請求項５記載の可変速表示装置の表示方法。
【請求項７】
再生速度に応じた速度でリズムを刻む再生音を、前記映像信号の再生と共に出力することを特徴とする請求項４〜６のいずれか１項に記載の可変速表示装置の表示方法。
【発明の詳細な説明】
【技術分野】
【０００１】
本発明は、可変速表示装置及びその表示方法に関する。
【背景技術】
【０００２】
ＤＶＤレコーダ、blu-rayレコーダ等の記録再生装置において、記録した大量の映像・音声情報から特定のものを素早く選ぶためや、逆に速すぎる再生速度を遅くして視認性を高めるため、或いは再生内容に合わせて再生速度を自動で可変させたりするなどの要望から、可変速表示再生が行われる。
例えば、記録再生装置では短時間で再生を行いたい場合、倍速の再生速度で、表示手段に映像および音声を再生することができる。倍速再生では、倍速再生時に再生された画像信号を時間軸圧縮処理することにより、出力速度を速めて表示させる。また、この際、音声の出力速度をゆっくりさせる話速変換が行われる場合もある。
【０００３】
すなわち、記録再生装置においては、音声情報や映像情報が、再生開始位置を基準としたそれぞれの情報を再生する時刻を示す時間情報と共に記録される。
また、音声情報や映像情報は、オーディオフレームやビデオフレームと呼ばれる単位で、記録、編集、再生の際に扱われ、このフレームの単位でアクセス可能となる。したがって、早送り再生やスロー再生等の可変速再生が可能であり、所望の再生箇所を迅速にサーチし、或いは所望の再生箇所を注意深く観察したりすることができる。
【０００４】
従来、このような可変速再生が可能となった記録再生装置では、装置本体に速度表示部が設けられている（例えば、特許文献１）。したがって、ユーザーはこの速度表示部に表示される時間情報の更新速度を視認することで、再生速度を把握することができた。
【特許文献１】実公昭６３−３６５０８（第３図）
【発明の開示】
【発明が解決しようとする課題】
【０００５】
しかしながら、再生速度が自動的に変る画像を視聴する際、通常ユーザーはその速度を意識することはない。このため、頻繁に再生速度が上がったり下がったりを繰り返すと、ユーザーによっては不快感を覚える可能性が高い。
また、表示手段とは離間した記録再生装置本体の速度表示部を視認することは、不便であり、特に画像注視時においては、離間した速度表示部を視認することで注意力が低下する問題があった。
【０００６】
本発明が解決しようとする課題としては、従来のＤＶＤレコーダ、blu-rayレコーダ等の記録再生装置において、可変速再生時に、再生速度が把握できないことによる不便、不快感を覚えるという問題点や、離間した速度表示部を視認することで注意力が低下するという問題があることがそれぞれ一例として挙げられる。
【課題を解決するための手段】
【０００７】
請求項１記載の可変速表示装置は、映像源から送られる映像信号を再生する表示手段と、
前記映像源と該表示手段との間に設けられ、該表示手段に表示される画像の再生速度を可変させる再生速度変換部と、該再生速度変換部における速度増減量に応じて再生画像サイズを拡縮させる画像サイズ制御部と、を備えたことを特徴とする。
【０００８】
請求項４記載の可変速表示装置の表示方法は、映像源から送られる映像信号を再生する表示手段と、前記映像源と該表示手段との間に設けられ、該表示手段に表示される画像の再生速度を可変させる再生速度変換部と、を備えた可変速表示装置の表示方法であって、前記再生速度変換部における再生速度の増加量に応じて前記再生画像サイズを縮小させることを特徴とする。
【発明を実施するための最良の形態】
【０００９】
以下、本発明に係る可変速表示装置及びその表示方法の実施の形態を図面を参照して説明する。
図１は本発明の実施の形態に係る可変速表示装置の備えられた記録再生装置の概略構成を表すブロック図、図２は図１に示した可変速表示装置の構成を表すブロック図、図３は図２に示した再生速度変換部の詳細を表すブロック図である。
【００１０】
本実施の形態による可変速表示装置１００は、コンテンツを短時間で視聴するために、内容に合わせて速度を自動可変して再生できる録画装置に好適に用いることができるものであり、例えば、記録再生装置２００に採用される。記録再生装置２００は、例えばＨＤＤ（ハードディスク）を内蔵したＤＶＤレコーダやblu-rayレコーダ等であり、アンテナ１１を介して受信回路１３に入力された映像信号がエンコーダ１５を介しＨＤＤ１７に記憶されるとともに、シーンチェンジ検出部１９、音声・映像検出部２１によって検出されたマップデータが同じくＨＤＤ１７に記憶される。そして、ＨＤＤ１７からの画像の読み出しは、可変速表示装置１００によって制御される。
【００１１】
可変速表示装置１００は、図２に示すように、表示手段（ＴＶ等の表示装置）２３と、再生速度変換部２５と、画像サイズ制御部２７と、補助情報表示部２９と、マーク動作制御部３１と、クリック音発生部３２とを主要な構成として有している。したがって、表示手段２３には、受信回路１３からＨＤＤ１７に蓄積された映像信号が、再生速度変換部２５を介して表示される。
【００１２】
再生速度変換部２５は、ＨＤＤ１７から送られる映像信号を、同じくＨＤＤ１７から送られるマップデータに基づき再生速度変換して送出する。再生速度変換部２５は、図示しない制御部からの制御信号に基づいて、ＨＤＤ１７からの画像の読み出しを制御する。なお、ＨＤＤ１７（ハードディスク）の代わりに、半導体素子からなるメモリ、光ディスク、光磁気ディスク等の他の記憶装置を用いてもよい。
【００１３】
そして、再生速度変換部２５は、さらに図３に示すように、画像信号入力部３３、区間判別部３５、信号処理部３７、画像メモリ３９、可変速度算出部４１及び画像信号出力部４３を備えている。画像信号入力部３３は、例えば増幅部、Ａ／Ｄ変換部、フレームメモリ等を備えている。
【００１４】
画像サイズ制御部２７は、再生速度変換部２５における速度増減量に応じ（すなわち、速度変換データに基づき）、再生画像サイズを拡縮させる。補助情報表示部２９は、表示手段２３にキャラクタ等のマークを表示可能にする。マーク動作制御部３１は、再生速度変換部２５における速度増減量に応じて、マークの動作速度を可変させる。
【００１５】
可変速再生モードが選択されているとき、ＨＤＤ１７によって読み出された映像信号は再生速度変換部２５に送られる。再生速度変換部２５は、入力映像信号を分析するとともに、分析結果に応じて入力された映像信号を加工する。また、映像信号の再生速度を算出し、算出した再生速度に応じた制御信号を生成する。この制御信号は、画像サイズ制御部２７、補助情報表示部２９、マーク動作制御部３１、クリック音発生部３２とへと入力される。
【００１６】
次に、可変速表示装置１００による表示動作について説明する。
画像信号入力部３３に入力された信号は、増幅された後、デジタル信号に変換されて、フレームメモリに格納される。画像信号入力部３３の出力は、区間判別部３５と信号処理部３７とに送られる。区間判別部３５では、入力信号が音声区間であるか無音区間であるかが判別される。区間判別部３５においては、例えば、画像信号入力部３３のフレームメモリに格納された１フレーム分の音声データが無音区間であるか音声区間であるかが判定される。信号処理部３７では、画像信号入力部３３から送られてくる入力信号に対して処理が行なわれる。つまり、現在の再生速度を所定の圧縮率で時間軸圧縮処理が施される。
【００１７】
信号処理部３７の出力は、画像メモリ３９に一旦蓄積された後、画像信号出力部４３に送られて出力される。画像信号出力部４３に送られてきたディジタル信号は、アナログ信号に変換されても、ディジタル信号として出力するようにしてもよい。
【００１８】
ここで、再生速度の変換制御が指示されると、一旦画像メモリ３９に蓄積された映像信号は、可変速度算出部４１にて可変速処理される。この可変速度算出部４１からの速度算出値、すなわち、再生速度に応じ画像サイズ制御部２７により再生画像サイズが拡縮される。ここで、高速走行時に視野角が狭くなる現象が利用され、再生速度の増加量に応じて再生画像サイズが縮小される。したがって、人の生理現象が利用されて自然な速度認知が可能となる。これにより、特に再生速度に応じたマーク等を表示させることなく、ユーザーの注意力を低下させずに、再生速度の容易な把握が可能となる。なお、画像サイズを縮小させる他に、画面の外周をぼかす処理がなされてもよい。
【００１９】
また、この際、図示しない制御部から補助情報表示部２９に指示が入力されることによって、表示手段２３にキャラクタ等のマークが表示可能となる。この場合、マークの動作速度は、マーク動作制御部３１によって画像の再生速度に応じて可変させることが可能となる。なお、キャラクタの表示は必須要件とはならず、再生画像サイズの拡縮のみによっても、ユーザーは再生速度の遅速が把握可能となる。
【００２０】
この他、具体的な可変速表示装置１００の表示方法として、再生画像サイズの縮小によって生じた余白に、再生速度が認知可能なマークを表示させることができる。このマークとしては、うさぎやチータ等のキャラクタを登場させる。再生速度の増加量に応じて再生画像サイズが縮小されると、表示手段２３の画像表示部に余白が生じる。この余白が有効利用され、再生速度の認知可能なマークが表示される。そして、マークが再生画像自体に表示されないため、画像視認の邪魔にならず、画像注視時の注意力が低下しない。
【００２１】
また、再生速度に応じた速度でキャラクタ等のマークを動作表示させることも可能となる。例えば再生速度が増加すると、棒グラフが伸長表示されたり、地球儀が増加速度に応じて高速回転したり、或いはマークである動物のキャラクタ等が増加速度に応じて速く走ったりする動作表示が行われる。これにより、単なる棒グラフ等の静止画に比べ、現在の再生速度を知る視認性が一層向上される。
【００２２】
さらに、再生速度に応じた速度でリズムを刻む再生音を、映像信号の再生と共に出力するものであってもよい。この場合、有音部分でのクリック音出力は、ユーザーに邪魔となる場合があるので、無音部分での出力とする。この有音・無音は、区間判別部３５によって得られた検出信号がクリック音発生部３２へ入力され可能となる。これにより、再生画像サイズの拡縮や、それによって生じた余白に表示されるマークの視覚的認知作用に加え、再生速度に応じて変化する再生音が出力されることで、聴覚による認知にも作用させて再生速度の変化が一層容易に把握可能となる。なお、この場合に出力される音は、クリック音の他に、リズミカルな音楽を高速演奏するものなどであってもよい。
【００２３】
したがって、この可変速表示装置１００によれば、表示手段２３に表示される画像の再生速度を可変させる再生速度変換部２５と、再生速度変換部２５における速度増減量に応じて再生画像サイズを拡縮させる画像サイズ制御部２７と、表示手段にマークの表示を可能にする補助情報表示部２９と、再生速度変換部２５における速度増減量に応じてマークの動作速度を可変させるマーク動作制御部３１とを備えたので、画像の再生速度に応じて再生画像サイズを拡縮させるとともに、それによって生じた表示手段の余白にキャラクタ等のマークを表示させることが可能となり、さらにそのマークの動作速度を、画像の再生速度に応じて可変させることができる。この結果、記録再生装置での可変速再生時に、再生速度が把握できないことによる不便、不快感を防止でき、ユーザーの利便性、快適性を向上させることができる。
【００２４】
また、可変速表示装置１００の表示方法によれば、再生速度変換部２５における再生速度の増加量に応じて再生画像サイズを縮小させるので、高速走行時に視野角が狭くなる現象を利用して、特に再生速度に応じたマーク等を表示させることなく、ユーザーに再生速度の変化を把握させることができる。この結果、画像注視時における注意力を低下させることなく、可変速再生時におけるユーザーの利便性、快適性を向上させることができる。
【００２５】
なお、可変速再生を行っている時、音声が話速変換などで出力されている時は、ユーザーは再生速度をだいたい把握できる。また、そこはユーザーがコンテンツの視聴に注力したい部分でもあるので、それ以外の情報を提供するとかえって視認のための邪魔になる可能性が高い。したがって、可変速再生を把握させるための音声による出力動作は、基本的に無音再生部について施される。但し、画面に表示されるものについては有音部分での動作も可能である。
【００２６】
以上、詳述したように、本発明の実施の形態に係る可変速表示装置１００は、映像源から送られる映像信号を再生する表示手段２３と、映像源と表示手段２３との間に設けられ表示手段２３に表示される画像の再生速度を可変させる再生速度変換部２５と、再生速度変換部２５における速度増減量に応じて再生画像サイズを拡縮させる画像サイズ制御部２７と、表示手段２３にマークの表示を可能にする補助情報表示部２９と、再生速度変換部２５における速度増減量に応じてマークの動作速度を可変させるマーク動作制御部３１と、を具備する。
これにより、画像の再生速度に応じて再生画像サイズを拡縮させるとともに、それによって生じた表示手段２３の余白にキャラクタ等のマークを表示させることが可能となり、さらにそのマークの動作速度を、画像の再生速度に応じて可変させることができる。
この結果、ＤＶＤレコーダ、blu-rayレコーダ等の記録再生装置２００での可変速再生時に、再生速度が把握できないことによる不便、不快感を防止でき、ユーザーの利便性、快適性を向上させることができる。
【００２７】
また、本発明の実施の形態に係る可変速表示装置の表示方法は、上記の可変速表示装置１００の表示方法であって、再生速度変換部２５における再生速度の増加量に応じて再生画像サイズを縮小させるので、高速走行時に視野角が狭くなる現象を利用して、特に再生速度に応じたマーク等を表示させることなく、ユーザーに再生速度の変化を把握させることができる。この結果、画像注視時における注意力を低下させることなく、可変速再生時におけるユーザーの利便性、快適性を向上させることができる。
【００２８】
なお、デジタルデータによる圧縮画像では、ある程度以上の高速再生を行うと、不連続な画像再生となり、再生画像の表示を眺めてもその再生速度が掴みにくい。よって、再生速度が自動的に変わる場合ではなく、ユーザーの指示により再生速度が変わる場合でも本発明の可変速表示装置及びその表示方法は有効である。
【図面の簡単な説明】
【００２９】
【図１】本発明の実施の形態に係る可変速表示装置の備えられた記録再生装置の概略構成を表すブロック図である。
【図２】図１に示した可変速表示装置の構成を表すブロック図である。
【図３】図２に示した再生速度変換部の詳細を表すブロック図である。
【符号の説明】
【００３０】
２３ 表示手段
２５ 再生速度変換部
２７ 画像サイズ制御部
２９ 補助情報表示部
３１ マーク動作制御部
１００ 可変速表示装置
【図１】
2006119514.tif 000003
【図２】
2006119514.tif 000004
【図３】
2006119514.tif 000005